(57)【要約】【課題】  安価な構成で、カメラの薄型化および軽量化を行い、また同時に、記録メディアを実装するフレキシブルプリント配線板の安定した固定を行う撮像装置の提供。【解決手段】  本体シャーシと、本体シャーシよりも厚さの薄いサブシャーシとを有し、記録媒体用スロットを実装するフレキシブルプリント配線板の一部が、電池室とサブシャーシとの間に挿入されることを特徴とする構成とした。【選択図】  図５
2011041118.tif 000002
【特許請求の範囲】
【請求項１】
記録媒体用スロット（８２０）を有する撮像装置（１）であり、本体シャーシ（３００）と前記本体シャーシ（３００）よりも厚さの薄いサブシャーシ（８１０）、および電池室（６０１）とを備え、前記本体シャーシ（３００）と前記電池室（６０１）は、撮像装置（１）の厚み方向には積層されない構成であり、前記電池室（６０１）と前記記録媒体用スロット（８２０）の間に、前記サブシャーシ（８１０）を設けることを特徴とする撮像装置（１）。
【請求項２】
フレキシブルプリント配線板（８００）の一部が前記電池室（６０１）と前記サブシャーシ（８１０）との間に挿入されることを特徴とする請求項１に記載の撮像装置（１）。
【請求項３】
前記本体シャーシ（３００）および前記サブシャーシ（８１０）は金属製であることを特徴とする請求項１又は請求項２に記載の撮像装置（１）。
【発明の詳細な説明】
【技術分野】
【０００１】
本発明は、ＣＭＯＳ等の個体撮像素子を有する電子カメラ、特にデジタルスチルカメラのシャーシ構造と、フレキシブルプリント配線板の配置に関するものである。
【背景技術】
【０００２】
近年、被写体像を撮像素子（ＣＭＯＳ、ＣＣＤなど）で撮像して記録、再生を行うデジタルカメラの需要が大きくなっている。
【０００３】
この種のデジタルカメラでは、撮像光学系により結像した被写体像を撮像素子で撮像して映像信号を得るとともに、この映像信号を記録可能なメモリーカード等の記録媒体を着脱可能に構成されたものである。
【０００４】
また、撮像して得られた画像信号を記録可能なＣＦカードなどの記録媒体を、着脱可能に構成されたものである。
【０００５】
ところで、このようなデジタルカメラにおいては、カメラの使い勝手の向上や低コストでの小型化を図るために、カメラの薄型化および軽量化が強く望まれている。
【先行技術文献】
【特許文献】
【０００６】
【特許文献１】特開２００２−２６２１６１号公報
【発明の概要】
【発明が解決しようとする課題】
【０００７】
しかしながら、上記従来例における構成においては、記録媒体用スロットを実装した基板と電池室および、厚さの大きいシャーシが電池室付近まで延設されているため、カメラの薄型化および軽量化が困難である。
【０００８】
また、薄型化のために、記録媒体用スロットを実装する基板を、フレキシブルプリント配線板とした場合、ＣＦカードやＳＤカードなどの記録メディアの挿抜に際し、安定した挿抜の動作を行うためには、フレキシブルプリント配線板に対して、ビス締めなどの新たな固定が必要となる。
【課題を解決するための手段】
【０００９】
上記課題を解決するために請求項１記載の本発明は、記録媒体用スロット（８２０）を有する撮像装置（１）であり、本体シャーシ（３００）と前記本体シャーシ（３００）よりも厚さの薄いサブシャーシ（８１０）、および電池室（６０１）とを備え、前記記録媒体用スロット（８２０）を実装するフレキシブルプリント配線板（８００）の一部が前記電池室（６０１）と前記サブシャーシ（８１０）との間に挿入されることを特徴とする。
【００１０】
また、上記課題を解決するために請求項２記載の本発明は、前記本体シャーシ（３００）および前記サブシャーシ（８１０）は金属製であることを特徴とする。
【発明の効果】
【００１１】
本発明の構成によれば、安価な構成で撮像装置の薄型化および軽量化が可能である。
【図面の簡単な説明】
【００１２】
【図１】カメラ前面側より見た斜視図
【図２】カメラ背面側より見た斜視図
【図３】（ａ）カメラ前面側より見たカメラの主要部品の内部構成を示す斜視図、（ｂ）カメラ背面側より見たカメラの主要部品の内部構成を示す斜視図
【図４】本発明の実施形態に関わるカメラの内部構成の分解斜視図
【図５】図３（ｂ）におけるＡ−Ａ断面図
【発明を実施するための形態】
【００１３】
以下に、本発明における実施形態を示す。
【００１４】
＜第１の実施形態＞
図１および図２は本実施の形態に係るデジタル一眼レフカメラの外観を示す図である。
【００１５】
図１はカメラ前面側より見た斜視図であって、撮影レンズユニットを外した状態を示している。
【００１６】
図２は、カメラを撮影者側（背面側）から見た斜視図である。
【００１７】
図１において１はカメラ本体であり、撮影時に使用者がカメラを安定して握り易いように前方に突出したグリップ部５１３が設けられている。
【００１８】
カメラのグリップ５１３の上部側には、撮影開始の起動スイッチとしてのレリーズボタン５１０が配置され、第１ストロークによってＳＷ１がＯＮし、撮影準備動作（焦点調節動作および測光動作）が開始され、第２ストロークにてＳＷ２がＯＮし、撮影動作が開始される。
【００１９】
５０１はカメラの電源スイッチであり、電源スイッチ５０１の操作により、カメラの動作を起動もしくは停止させる。
【００２０】
カメラ上部中央には、カメラ本体に対してポップアップするカメラ内蔵型ストロボユニット５０４が設けられており、被写体に照明光を照射する。
【００２１】
カメラ前面から見て上部右寄りには、撮影モード設定ダイヤル５０２が設けられ、撮影シーンに合わせた撮影モードの選択が可能である。
【００２２】
５０８はマウント部であり、着脱可能な撮影レンズユニット（不図示）をカメラ本体に固定させる。
【００２３】
５０９はカメラ本体へ撮影画像を記録するＣｏｍｐａｃｔＦｌａｓｈ（ＣＦ）カードやＳＤカードなどの外部メモリ（不図示）を収納するための収納口である。
【００２４】
また、図２に示すように、カメラ背面側には上方にファインダ接眼窓５２０の他、カメラの撮影前情報や設定内容、また、撮影した画像などを表示可能なカラー液晶モニタ５２９が設けられている。
【００２５】
カメラ背面側には、メニュー画面の呼び出し等の操作を行うＭＥＮＵボタン５３０、液晶表示装置５２９の表示／非表示の切替等の操作を行うＤＩＳＰボタン５３１の他、撮影時のＩＳＯ感度の設定や、ＡＦフレーム選択など、各種設定を行うためのボタン５２１〜５２８が配置されている。
【００２６】
図３（ａ）および図３（ｂ）はカメラの主要部品の内部構成を示す斜視図であり、それぞれカメラ前面側および背面側から見た斜視図である。
【００２７】
図３（ａ）において、３００はカメラ本体の骨格となる本体シャーシであり、また、ミラーボックス５１１、シャッターおよびストロボユニット駆動用モーター３１、ミラー駆動用モーター３２が配置され、シャッターおよびストロボユニット駆動用モーター３１によってシャッター羽根（不図示）の駆動およびストロボユニット５０４の駆動を行う。
【００２８】
また、ミラー駆動用モーター３２によってメインミラー５１２およびサブミラー（不図示）の駆動を行う。
【００２９】
また、カメラ上部には、ペンタダハミラー６００が配置され、ペンタダハミラー６００を通して、撮影者に被写体像を提供する。
【００３０】
また、電池室６０１には、電池が収納される。
【００３１】
図３（ｂ）において、８２０はＣＦカードが挿入可能なＣＦスロットであり、ＣＦスロット８２０は、フレキシブルプリント配線板（ＦＰＣ）８００上に実装されている。
【００３２】
また、ＦＰＣ８００は、本体シャーシ３００よりも厚さの薄い金属板であるサブシャーシ８１０に対してビスによって締結されている。
【００３３】
図４は本発明の実施形態に関わるカメラの内部構成の分解斜視図である。
【００３４】
本体シャーシ３００は電池室６０１に対して、ビス６０１ａおよび６０１ｂによって固定されている。また、本体シャーシ３００は電池室６０１の背面までは延設させず、電池室６０１背面には本体シャーシよりも厚さの薄い金属板であるサブシャーシ８１０を設けている。
【００３５】
このサブシャーシ８１０は、本体シャーシに対してビス８００ａで固定されており、このビス８００ａはさらに本体シャーシ３００と共に電池室６０１に対して固定されている。
【００３６】
さらに、サブシャーシ８１０の撮影者側には、ＣＦスロット８２０を実装したフレキシブルプリント配線板（ＦＰＣ）８００があり、ＣＦスロット８２０はサブシャーシ８１０に対して、８２０ａと８２０ｂの２箇所においてビスによって締結されている。
【００３７】
また、ＦＰＣ８００は、本体シャーシに３００に対して、ビス８００ａによって締結されている。
【００３８】
図５は、図３（ｂ）におけるＡ―Ａ断面図である。
【００３９】
ＦＰＣ８００は、電池室６０１とサブシャーシ８１０との間に、ＦＰＣ８００の一部を挿入させる構成にしている。このことにより、ＣＦスロット８２０にＣＦカード８５０が挿入および抜去された際においても、簡単に、ＦＰＣ８００の被写体側および撮影者側への浮きを防止することが可能である。
【００４０】
以上の構成により、撮像装置１の薄型化および軽量化が可能であり、また同時に、ＦＰＣ８００を新たにビスで固定することなく、安定して固定できるため、安価な構成でＣＦカードなどの記録媒体の安定した挿抜が可能である。
【符号の説明】
【００４１】
１  撮像装置（カメラ本体）
３００  本体シャーシ
６０１  電池室
８００  フレキシブルプリント配線板
８１０  サブシャーシ
８２０  記録媒体用スロット
【図１】
2011041118.tif 000003
【図２】
2011041118.tif 000004
【図３】
2011041118.tif 000005
【図４】
2011041118.tif 000006
【図５】
2011041118.tif 000007